(57)【要約】【課題】ボイラ正常運転時に、通信エラーによる不必要なボイラ運転停止が発生することを防止する。【解決手段】遠隔操作装置２とボイラ１の間を通信によって情報伝達することを可能としており、前記遠隔操作装置はボイラから送られてきたボイラ運転データに基づいて遠隔操作装置の表示部９にボイラ運転状態を表示するとともに、遠隔操作装置２にボイラ運転指令を入力することで、遠隔操作装置２からボイラ１へボイラ運転指令を送信し、ボイラ１では遠隔操作装置２から送られてきたボイラ運転指令に基づいてボイラの運転を操作することで、ボイラの運転を遠隔で制御することができるようにしているボイラ遠隔制御システムにおいて、ボイラ１から遠隔操作装置２へ送るボイラ運転データには誤り検出符号を設けておき、前記遠隔操作装置２ではボイラ運転データに誤りがあることを検出した場合には、ボイラ停止の操作を受け付けなくする。【選択図】図１
2010038404.tif 000002
【特許請求の範囲】
【請求項１】
通信装置を持った遠隔操作装置と、通信装置を持ったボイラからなり、遠隔操作装置とボイラ間を通信によって情報伝達することを可能としており、前記遠隔操作装置はボイラから送られてきたボイラ運転データに基づいて遠隔操作装置の表示部にボイラ運転状態を表示するとともに、遠隔操作装置にボイラ運転指令を入力することで、遠隔操作装置からボイラへボイラ運転指令を送信し、ボイラでは遠隔操作装置から送られてきたボイラ運転指令に基づいてボイラの運転を操作することで、ボイラの運転を遠隔で制御することができるようにしているボイラ遠隔制御システムにおいて、ボイラから遠隔操作装置へ送るボイラ運転データには誤り検出符号を設けておき、前記遠隔操作装置ではボイラ運転データに誤りがあることを検出した場合には、ボイラ停止の操作を受け付けないようにしたことを特徴とするボイラ遠隔制御システム。
【請求項２】
通信装置を持った遠隔操作装置と、通信装置を持ったボイラからなり、遠隔操作装置とボイラ間を通信によって情報伝達することを可能としており、前記遠隔操作装置はボイラから送られてきたボイラ運転データに基づいて遠隔操作装置の表示部にボイラ運転状態を表示するとともに、遠隔操作装置にボイラ運転指令を入力することで、遠隔操作装置からボイラへボイラ運転指令を送信し、ボイラでは遠隔操作装置から送られてきたボイラ運転指令に基づいてボイラの運転を操作することで、ボイラの運転を遠隔で制御することができるようにしているボイラ遠隔制御システムにおいて、遠隔操作装置からボイラへ送るボイラ運転指令には誤り検出符号を設けておき、前記ボイラではボイラ運転指令に誤りがあることを検出した場合には、ボイラ停止の運転指令を受け付けないようにしたことを特徴とするボイラ遠隔制御システム。  
【請求項３】
前記請求項２に記載のボイラ遠隔制御システムにおいて、前記ボイラではボイラ運転指令に誤りがあることを検出すると、通信エラー発生の信号を遠隔操作装置２へ送るようにしておき、通信エラー発生の信号を受けた遠隔操作装置２は、表示部９に通信エラーが発生した旨の表示を行うようにしたことを特徴とするボイラ遠隔制御システム。
【発明の詳細な説明】
【技術分野】
【０００１】
本発明は、ボイラ設置場所から離れたところから遠隔操作装置によってボイラの運転を操作するボイラ遠隔制御システムに関するものである。
【背景技術】
【０００２】
特開２００５−５５０８２公報には、携帯電話によってボイラの運転を遠隔操作することが記載されている。携帯電話やインターネットに接続されたパソコンなどからなる遠隔操作装置を用い、ボイラと遠隔操作装置の間で情報のやり取りが行えるようにしておくことで、ボイラ設置場所から離れたところにいてもボイラの運転状態を確認したり、ボイラの運転を操作することができる。遠隔操作装置でボイラの運転状態を監視できるようにしておけば、ボイラに異常が発生してボイラを非常停止しなければならない場合に、速やかにボイラの運転を停止することが可能である。
【０００３】
ところで、遠隔操作装置からの通信によってボイラを停止することができるようにしておいた場合、通信の異常によって正常に作動しているボイラを不必要に停止することがある。例えば、ボイラは正常に作動しており、ボイラで検出したボイラ運転データは正常な値であったが、通信時にノイズなどの影響によって値が変化し、遠隔操作装置に表示されるボイラ運転データの値が異常な値となっていた場合、その表示を見たボイラ操作者はボイラに異常が発生しているとの誤判定を行ってボイラの非常停止操作を行うことがある。また、遠隔操作装置には停止操作以外のボイラ運転指令を入力したのに、ボイラへの通信時にノイズなどの影響によってボイラ運転指令が運転停止の指令に化け、運転停止の指令を受けたボイラは運転指令に従ってボイラの運転を停止する、といったことも考えられる。
【０００４】
ボイラは正常に作動しているのに不必要な運転停止動作を行うということは、単にボイラの稼働率が低下するだけに留まらず、蒸気の供給が止まることで蒸気不足によって工場の操業が停止するといった波及的な損害が発生することも考えられる。
【特許文献１】特開２００５−５５０８２号公報
【発明の開示】
【発明が解決しようとする課題】
【０００５】
本発明が解決しようとする課題は、ボイラ正常運転時に、通信エラーによる不必要なボイラ運転停止が発生することを防止することのできるボイラ遠隔制御システムを提供することにある。
【課題を解決するための手段】
【０００６】
請求項１に記載の発明は、通信装置を持った遠隔操作装置と、通信装置を持ったボイラからなり、遠隔操作装置とボイラ間を通信によって情報伝達することを可能としており、前記遠隔操作装置はボイラから送られてきたボイラ運転データに基づいて遠隔操作装置の表示部にボイラ運転状態を表示するとともに、遠隔操作装置にボイラ運転指令を入力することで、遠隔操作装置からボイラへボイラ運転指令を送信し、ボイラでは遠隔操作装置から送られてきたボイラ運転指令に基づいてボイラの運転を操作することで、ボイラの運転を遠隔で制御することができるようにしているボイラ遠隔制御システムにおいて、ボイラから遠隔操作装置へ送るボイラ運転データには誤り検出符号を設けておき、前記遠隔操作装置ではボイラ運転データに誤りがあることを検出した場合には、ボイラ停止の操作を受け付けないようにしたことを特徴とする。
【０００７】
請求項２に記載の発明は、通信装置を持った遠隔操作装置と、通信装置を持ったボイラからなり、遠隔操作装置とボイラ間を通信によって情報伝達することを可能としており、前記遠隔操作装置はボイラから送られてきたボイラ運転データに基づいて遠隔操作装置の表示部にボイラ運転状態を表示するとともに、遠隔操作装置にボイラ運転指令を入力することで、遠隔操作装置からボイラへボイラ運転指令を送信し、ボイラでは遠隔操作装置から送られてきたボイラ運転指令に基づいてボイラの運転を操作することで、ボイラの運転を遠隔で制御することができるようにしているボイラ遠隔制御システムにおいて、遠隔操作装置からボイラへ送るボイラ運転指令には誤り検出符号を設けておき、前記ボイラではボイラ運転指令に誤りがあることを検出した場合には、ボイラ停止の運転指令を受け付けないようにしたことを特徴とする。
【０００８】
請求項３に記載の発明は、前記のボイラ遠隔制御システムにおいて、前記ボイラではボイラ運転指令に誤りがあることを検出すると、通信エラー発生の信号を遠隔操作装置２へ送るようにしておき、通信エラー発生の信号を受けた遠隔操作装置２は、表示部９に通信エラーが発生した旨の表示を行うようにしたことを特徴とする。
【発明の効果】
【０００９】
本発明を実施することにより、ボイラは正常に作動しているのに、通信のエラーによってボイラの運転を不必要に停止するということを防ぐことができる。
【発明を実施するための最良の形態】
【００１０】
本発明の一実施例を図面を用いて説明する。図１から図３はボイラ１と遠隔操作装置２の構成を示したブロック図であり、図１は通信エラーの発生していない状態、図２は運転データ通信時に通信エラーが発生した状態、図３は運転指令通信時に通信エラーが発生した状態の説明をするものである。本実施例は、蒸気を発生するボイラ１と、ボイラ１に対する運転指令を送る遠隔操作装置２からなり、ボイラ１と遠隔操作装置２は通信網３によって接続している。ボイラ１と遠隔操作装置２は、それぞれ通信装置を持っており、情報を相互に送受信することができるようにしている。通信網３は電話回線やインターネットを使用でき、遠隔操作装置２は携帯電話や無線でインターネットに接続することができるパソコンであれば、持ち運びが容易である。
【００１１】
ボイラ１は、ボイラ本体４、ボイラ運転データ集計部５、ボイラ運転制御部６、ボイラ側通信部７からなる。ボイラ１のボイラ運転データ集計部５では、ボイラ本体４の運転状態やボイラ本体に取り付けているセンサー類（図示せず）によって検出した計測値などからなる運転データを集積しておく。ボイラ側通信部７は、ボイラ運転データの遠隔操作装置２への送信と、遠隔操作装置２から送られてくるボイラ運転指令の受信を行う。また、ボイラ側通信部７では、ボイラ運転データを送信する場合には運転データに誤り検出符号を付けて送り出し、ボイラ運転指令を受信する場合には、ボイラ運転指令とともに送られてきた誤り検出符号を解析することでデータ損傷などの通信エラーが発生していないかを確認する。ボイラ運転制御部６は、ボイラ側通信部７が受信したボイラ運転指令に基づいてボイラ本体４の運転を制御する。
【００１２】
遠隔操作装置２は、端末側通信部８、表示部９、入力部１０からなる。遠隔操作装置２の端末側通信部８は、ボイラ１からのボイラ運転データの受信と、ボイラ運転指令のボイラ１への送信を行う。また、端末側通信部８でも、ボイラ運転指令を送信する場合には運転指令に誤り検出符号を付けて送り出し、ボイラ運転データを受信する場合には、ボイラ運転データとともに送られてきた誤り検出符号を解析することでデータ損傷などの通信エラーが発生していないかを確認する。表示部９は、ボイラ１から送られてきたボイラ運転データを表示するものであり、表示部９にボイラ運転データを表示することで、ボイラ１から離れた場所にいながらボイラ１の運転状態を監視することができる。入力部１０はボイラ運転指令を入力するものであり、通信網３を通じてボイラ１へボイラ運転指令を送信することで、ボイラ１から離れた場所にいながらボイラ１の運転操作を行うことができる。例えばボイラに異常が発生し、ボイラを緊急で停止しなければならないとボイラ操作者が判断した場合には、遠隔操作装置２に非常停止の運転指令を入力し、遠隔操作装置２を通じてボイラへ運転指令を送ると、非常停止の運転指令を受信したボイラ１はボイラの運転を停止させる。ボイラに異常が発生した場合、ボイラの運転を停止すべき異常であればボイラ自身の安全装置が作動することでボイラの運転は停止するが、安全装置が働くほどの異常になっていなくても、遠隔操作装置２でボイラの運転状態を見ることでボイラ操作者が運転を停止すべきと判断すれば、運転指令によってボイラの運転を停止することになる。
【００１３】
ボイラ１から遠隔操作装置２へのボイラ運転データの送信は、遠隔操作装置２からの要求に基づいて行う。ボイラ１から遠隔操作装置２へボイラ運転データを送信すると、遠隔操作装置２の端末側通信部８では、運転データとともに送られてきた誤り検出符号を解析することで、通信エラーの有無を判別しておく。端末側通信部８で受信したボイラ運転データは表示部９に表示し、運転データの表示を見たボイラ操作者は必要に応じてボイラの運転操作を行う。図２に記載しているように、ボイラ運転データに通信エラーが発生していた場合には、遠隔操作装置２に対して非常停止の運転指令を入力しようとしても、入力は受け付けないようにしておく。また、通信エラーが発生した場合には、都度表示部９に「通信エラーが発生」した旨の表示を行っておく。
【００１４】
通信エラーが発生していた場合、表示部９に表示しているボイラ運転データは正確な値であるとは限らない。その場合、ボイラを停止する必要はないのに、誤った値に基づくことで停止しなければならないとの誤判定を行うことがある。そのため、このような場合には非常停止の運転指令を受け付けないようにしておけば、誤判定による不必要な非常停止の操作が行われることを防止することができる。ボイラ操作者は、通信エラー発生の表示を見るとボイラ設置場所まで出向き、通信エラーの発生原因を調べる。通信エラーの発生は散発的であり、通信を再試行すれば通信エラーは解消されるものであれば、必ずしも対応する必要はないが、通信エラーが解消されない場合にはボイラ１の運転ボタンを操作することによってボイラの運転を操作する。
【００１５】
また、遠隔操作装置２からボイラ１へボイラの運転指令を送信する際も、ボイラ１のボイラ側通信部７では受信した誤り検出符号を解析することで通信エラーの有無を判別する。そして図３に記載しているように運転指令に通信エラーが発生していた場合、ボイラ側通信部７ではボイラ運転停止の指令があっても受け付けないようにしておく。通信エラーが発生していた場合、ボイラ１へ送られてきたボイラ運転指令は正確な指令であるとは限らない。その場合、ボイラを停止する必要はないのに、誤った運転指令に基づくことでボイラの運転を停止することがある。そのため、このような場合には運転停止の指令を受け付けないようにしておけば、通信エラーによる不必要な運転停止の操作が行われることを防止することができる。通信エラーが発生した場合、ボイラ１から遠隔操作装置２へ通信エラー発生の信号を送っておき、遠隔操作装置２では表示部９に「通信エラーが発生」した旨の表示を行っておく。ボイラ操作者は、通信エラー発生の表示を見るとボイラ設置場所まで出向き、通信エラーの発生原因を調べる。必要であればボイラ１の運転ボタンを操作することによってボイラの運転を操作する。                        
【図面の簡単な説明】
【００１６】
【図１】正常に通信が行われている状態を説明するボイラ及び遠隔操作装置のブロック図
【図２】運転データ通信時に通信エラーが発生した状態を説明するボイラ及び遠隔操作装置のブロック図
【図３】運転指令通信時に通信エラーが発生した状態を説明するボイラ及び遠隔操作装置のブロック図
【符号の説明】
【００１７】
１  ボイラ        
２  遠隔操作装置          
３  通信網          
４  ボイラ本体          
５  ボイラ運転データ集計部          
６  ボイラ運転制御部          
７  ボイラ側通信部              
８  端末側通信部            
９  表示部        
１０  入力部     
【図１】
2010038404.tif 000003
【図２】
2010038404.tif 000004
【図３】
2010038404.tif 000005